【手続補正書】
【提出日】平成19年2月13日(2007.2.13)
【手続補正１】
【補正対象書類名】特許請求の範囲
【補正対象項目名】全文
【補正方法】変更
【補正の内容】
【特許請求の範囲】
【請求項１】
金融商品の複数管轄投資を管理するためのコンピュータ装置であって、
データ処理手段を含み、前記データ処理手段は、
前記金融商品についての仕様および金融商品についての価格設定データを規定する情報をメモリに受信するよう構成された入力装置と、
管轄データに応じて、前記金融商品の実現例においてそれぞれの管轄における前記金融商品のパーツのそれぞれの評価額を算出するための算出手段と、
前記金融商品の前記パーツの実現例を実行するよう、前記パーツの最初の配置のための文書を生成するための生成手段とを含む、コンピュータ装置。
【請求項２】
第２の当事者から前記金融商品を購入する第１の当事者の会計報告を作成するための会計手段と、
それぞれの他の当事者とのそれぞれの金融取引において、それぞれの管轄における前記金融商品のパーツを用いて実現例を実行する前記第１の当事者の会計報告を作成するための会計手段とをさらに含む、請求項１に記載の装置。
【請求項３】
前記データ処理手段は、前記金融商品としての年金についての仕様を規定する情報を前記メモリに受信するよう適合される、請求項１に記載の装置。
【請求項４】
前記データ処理手段は、前記金融商品としての保険についての仕様を規定する情報を前記メモリに受信するよう適合される、請求項１に記載の装置。
【請求項５】
前記データ処理手段は、前記金融商品としての非保険商品についての仕様を規定する情報を前記メモリに受信するよう適合される、請求項１に記載の装置。
【請求項６】
前記パーツについての履歴記録をそれぞれ生成するための生成手段をさらに含む、請求項１に記載の装置。
【請求項７】
評価額、バランスシート活動および損益計算書をそれぞれ含む前記パーツについての履歴記録と、連結バランスシート活動および連結損益計算書を含む履歴記録とを生成するための生成手段をさらに含む、請求項１に記載の装置。
【請求項８】
前記生成手段は、標準化された文書を生成し、個々のトランザクションのために前記標準化された文書のカスタマイズを可能にするよう適合される、請求項１に記載の装置。
【請求項９】
前記生成手段は、前記金融商品の図を生成するよう適合される、請求項１に記載の装置。
【請求項１０】
前記生成手段は、前記金融商品の前記パーツのうち少なくとも１つの図を生成するよう適合される、請求項１に記載の装置。
【請求項１１】
前記生成手段は、前記金融商品についての契約書を生成するよう適合される、請求項１に記載の装置。
【請求項１２】
前記仕様は、前記仕様のためのデータ基準によってデータプロセッサメモリへの入力として提供され、前記基準は少なくとも１つのデータテンプレートによって設定される、請求項１に記載の装置。
【請求項１３】
前記データテンプレートは、保険商品についての契約上のエクスポージャに関連付けられるリスクのそれぞれの特徴の入力を促進するためのデータテンプレート手段によって形成される、請求項１に記載の装置。
【請求項１４】
電信振替を含む、符号化された請求書作成発行を、前記当事者に電子的に伝達するための電子伝達手段をさらに含む、請求項１に記載の装置。
【請求項１５】
前記電子伝達手段はインターネットのネットワークを介して伝達する、請求項１４に記載の装置。
【請求項１６】
前記管轄のうちの１つを選択するための選択手段をさらに含む、請求項１に記載の装置。
【請求項１７】
企業所有の生命保険の個々の適用範囲から契約上のエクスポージャに関連付けられるリスクのそれぞれの特徴を受信するための手段をさらに含む、請求項１に記載の装置。
【請求項１８】
前記契約上のエクスポージャを引受けるための引受手段と、
関連するリスクに基づいて前記金融商品の価格設定を策定するための価格設定手段とをさらに含む、請求項１７に記載の装置。
【請求項１９】
商品設計および支払を最適化するための最適化手段をさらに含む、請求項１７に記載の装置。
【請求項２０】
前記実現例に対するそれぞれの最初の配置のための前記パーツの評価額を算出するための算出手段をさらに含む、請求項１７に記載の装置。
【請求項２１】
前記実現例に対する最初の配置後に前記パーツの定期的な評価額を算出するための算出手段をさらに含む、請求項１７に記載の装置。
【請求項２２】
偶発的な出来事の発生時に前記パーツについてのそれぞれの評価額を算出するための算出手段をさらに含む、請求項１７に記載の装置。
【請求項２３】
前記実現例に対する最初の配置後に前記パーツの前記それぞれの評価額をトラッキングするためのトラッキング手段をさらに含む、請求項１７に記載の装置。
【請求項２４】
前記それぞれの前記パーツ、バランスシート活動および損益計算書をトラッキングするためのトラッキング手段をさらに含む、請求項１７に記載の装置。
【請求項２５】
連結バランスシート活動および連結損益計算書をトラッキングするためのトラッキング手段をさらに含む、請求項１７に記載の装置。
【請求項２６】
貸付利息のうち少なくとも一部が費用控除される管轄を選択するための選択手段と、
それぞれの保険証券額で貸付担保を実行するための実現手段とをさらに含む、請求項１７に記載の装置。
【請求項２７】
貸付利息のうち少なくとも一部が費用控除される管轄を選択するための選択手段と、
保険証券貸付規定の実施を実行するための実現手段とをさらに含む、請求項１７に記載の装置。
【請求項２８】
偶発的な給付金のうち少なくとも一部が課税猶予される管轄を選択するための選択手段と、
保険証券の少なくともそれぞれの割当分の分担金によって投資を実行するための実現手段とをさらに含む、請求項１７に記載の装置。
【請求項２９】
偶発的な給付金のうち少なくとも一部が課税されない管轄を選択するための選択手段と、
保険証券のうち少なくともそれぞれの割当分の分担金によって、関連するかまたは関連しない当事者の投資を実行するための実現手段とをさらに含む、請求項１７に記載の装置。
【請求項３０】
貸付利息のうち少なくとも一部が費用控除である管轄を選択し、かつ、偶発的な給付金のうち少なくとも一部が、貸付利息が控除可能である管轄における税率よりも低い税率で課税される管轄を選択するための選択手段と、
保険証券のうち少なくともそれぞれの割当分の分担金によって、関連するかまたは関連しない当事者の投資を実行するための実現手段とをさらに含む、請求項１７に記載の装置。
【請求項３１】
金融商品を発行するための規制上の要件が最小限である管轄を選択し、前記金融商品のための規制上の資本要件が最小限である管轄を選択し、貸付利息のうち少なくとも一部が費用控除である管轄を選択し、金融商品価値増加分のうち少なくとも一部が課税猶予される金融商品を選択し、かつ、偶発的な給付金のうち少なくとも一部が、貸付利息が控除可能である管轄における税率よりも低い税率で課税される管轄を選択するための選択手段と、
それぞれの保険証券額で貸付担保を実行し、かつ、保険証券のうち少なくともそれぞれの割当分の分担金によって、関連するかまたは関連しない当事者の投資を実行するための実現手段とをさらに含む、請求項１７に記載の装置。
【請求項３２】
金融商品を発行するための規制上の要件が最小限である管轄を選択し、前記金融商品のための規制上の資本要件が最小限である管轄を選択し、貸付利息のうち少なくとも一部が費用控除である管轄を選択し、金融商品価値増加分のうち少なくとも一部が課税猶予される金融商品を選択し、偶発的な給付金のうち少なくとも一部が、貸付利息が控除可能である管轄における税率よりも低い税率で課税される管轄を選択するための選択手段と、
保険証券貸付規定の実施を実行し、かつ、保険証券の少なくともそれぞれの割当分の分担金によって、関連するかまたは関連しない当事者の投資を実行するための実現手段とをさらに含む、請求項１７に記載の装置。
【請求項３３】
金融商品の複数管轄投資を管理するためのコンピュータプログラムであって、コンピュータ上で実行されると、
前記金融商品についての仕様および前記金融商品についての価格設定データを規定する情報をメモリに受信するステップと、
管轄データに応じて、前記金融商品の実現例においてそれぞれの管轄における前記金融商品のパーツのそれぞれの評価額を算出するステップと、
前記金融商品の前記パーツの実現例を実行するよう、前記パーツの最初の配置のための文書を生成するステップとを前記コンピュータに実行させる、コンピュータプログラム。
【請求項３４】
請求項３３に記載のコンピュータプログラムが記憶されているコンピュータプログラムプロダクト。
【請求項３５】
金融商品の複数管轄投資パーツを管理するための装置であって、
情報を受信し、前記情報をメモリに配置するよう構成されたコンピュータシステムを含み、前記情報は金融商品についての投資仕様および価格設定データを含み、前記コンピュータシステムは、
前記情報を受信し、前記情報を信号に変換するための手段と、
前記信号から、それぞれの管轄における投資のパーツのそれぞれの評価額を算出するためのプログラム制御手段と、
それぞれの管轄におけるパーツの実現例を実行するために、前記評価額を含む文書の印刷をトリガするためのプログラム制御手段とを含む、装置。
【請求項３６】
前記投資からの前記パーツの分離を最適化するための手段をさらに含む、請求項３５に記載の装置。
【請求項３７】
管轄における金融商品のすべてではなくいくつかの配置を管理するための装置であって、
前記管轄における金融商品のすべてではなくいくつかの最初の配置についての命令を規定する情報をメモリに受信し、かつ、計算された値を受信するよう構成されたデータ処理手段を含み、前記データ処理手段は、
前記受信された計算された値に応じて、前記金融商品のすべてではなく前記いくつかの
最初の配置を実行するための文書を作成するための生成手段を含む、装置。
【請求項３８】
複数の、複数管轄投資パーツのうちの１つを管理するための装置であって、
情報を受信し、前記情報をメモリに配置するよう構成されたコンピュータシステムを含み、前記情報は、１つのパーツについての投資仕様および価格設定データを含み、前記コンピュータシステムはさらに、
履歴記録を作成するために、前記仕様および価格設定データを用いて、給付金額を含むパーツの価格を定期的に算出するためのプログラム制御手段と、
前記履歴記録を用いることによって前記パーツをトラッキングするためのプログラム制御手段とを含む、装置。
【請求項３９】
金融商品の複数の、複数管轄投資パーツのうちの１つを実行するための装置であって、
情報を受信し、前記情報をメモリに配置するよう構成されたコンピュータシステムを含み、前記情報は、管轄における前記金融商品のすべてではなく前記パーツの最初の配置を開始するための命令を含み、前記装置はさらに、
前記パーツについての会計報告を生成するためのプログラム制御手段と、
前記パーツについての文書を生成するためのプログラム制御手段とを含む、装置。
【請求項４０】
すべてではなく一部が管轄に配置される複数管轄投資の実現例を実行するための装置であって、
情報を受信し、前記情報をメモリに配置するよう構成されたコンピュータシステムを含み、前記情報は、前記一部についての命令を含み、前記管轄に配置されている前記一部に起因する給付金額のうちの少なくとも１つを含み、かつ、前記一部を説明し、前記装置はさらに、
受信した情報に応じて、前記一部についての文書を生成するためのプログラム制御手段を含む、装置。
【請求項４１】
複数管轄投資において金融商品のパーツを実現するよう通信を処理するための電子伝送装置であって、
前記金融商品のうち別のパーツとは異なる管轄に配置されている前記パーツに起因する給付金額を算出するためのプログラム制御手段と、
前記パーツについての会計報告を生成するためのプログラム制御手段と、
前記パーツについての文書を生成するためのプログラム制御手段と、
別のコンピュータにアドレス指定されたインターネットのネットワークを介して、前記給付金額、前記会計報告および前記文書のうち少なくとも１つを伝達するための電子伝送手段とを含む、電子伝送装置。
【請求項４２】
前記金融商品の前記パーツの最初の配置を開始するための手段をさらに含む、請求項４１に記載の電子伝送装置。
【請求項４３】
コンピュータによって実行可能な命令のプログラムを具体化するコンピュータ読取可能媒体であって、少なくとも１つのコンピュータ生成テンプレートによる入力と、コンピュータアクセス可能メモリから得られた標準化された文書による出力とのために標準化されたデータを用いて、それぞれの管轄における金融商品のパーツの最初の配置を開始するステップを実行する、コンピュータ読取可能媒体。
【請求項４４】
コンピュータによって実行可能な命令のプログラムを具体化するコンピュータ読取可能媒体であって、
それぞれの管轄におけるパーツに金融商品を分離するステップと、
入力された管轄データに応じて、前記パーツのそれぞれの評価額を算出するステップと
、
前記それぞれの管轄における評価額を含む前記パーツの配置のために信号を送信するステップとを実行する、コンピュータ読取可能媒体。
【請求項４５】
前記コンピュータが、
前記それぞれのパーツのトランザクション開始および終了のために会計データをロードするステップと、
前記それぞれの管轄における前記パーツについての履歴結果を記憶するステップと、
前記金融商品についての連結結果を記憶するステップとをさらに実行する、請求項４３に記載の媒体。
【請求項４６】
前記媒体は、ＲＡＭ、ＲＯＭ、ディスク、ＡＳＩＣおよびＰＲＯＭのうち少なくとも１つを含む、請求項４３から４５のいずれかに記載の媒体。